Podtech/llm-jp-corpus-v4-ja_patent huggingface dataset:
(57)【要約】      （修正有）【課題】印刷時の枠の撓みを防止でき、かつ軽量なスクリーン印刷版用の枠を得る。【解決手段】アルミ、もしくはアルミ合金製である中空の枠１の角部に補強部材５を設け、中空部３に補強バーを設ける。【選択図】図４
0003130849.tif 000002
【実用新案登録請求の範囲】
【請求項１】
スクリーン印刷に用いる印刷版用の枠であって、枠の各辺に中空部を有し、かつ枠の角部に補強部材を設けてなる枠。
【請求項２】
枠本体、及び／または補強部材がアルミ、もしくはアルミ合金である請求項１記載の枠。
【請求項３】
枠の中空部に補強バーを設けてなる請求項１もしくは２記載の枠。
【考案の詳細な説明】
【技術分野】
【０００１】
本考案はスクリーン印刷に用いられる印刷版用の枠に関する。
【背景技術】
【０００２】
一般にスクリーン印刷版用の枠には印刷時に撓まない強度が求められており、近年の微細加工分野においては印刷精度に影響することから、その需要が高まっている。
しかし、強度とともに作業性の問題から枠には軽さも求められている。
そのため、枠の軽量化を目的として、アルミもしくはアルミ合金で製造され、枠内に鍼を設けた枠が開示されている。
【特許文献１】特開2005-335080
【０００３】
しかし、材質のみを変更しただけでは十分な軽量化はできず、枠内に鍼を設けることにより、スクリーン版の紗張りが困難になってしまうという問題もある。
【考案の開示】
【考案が解決しようとする課題】
【０００４】
印刷時の枠の撓みを防止でき、かつ軽量なスクリーン印刷版用の枠を得る。
【課題を解決するための手段】
【０００５】
本考案者らは上記目的を達成するために鋭意改良研究を進めた結果、枠の各辺に中空部を有し、かつ枠の角部に補強部材を設けてなる枠を考案した。
すなわち、スクリーン印刷に用いる印刷版用の枠であって、枠の各辺に中空部を有し、かつ枠の角部に補強部材を設けてなる枠、である。
及び、枠本体、もしくは補強部材がアルミ、もしくはアルミ合金である前記記載の枠、である。
さらには、枠の中空部に補強バーを設けてなる前記記載の枠、である。
【考案の効果】
【０００６】
アルミ、もしくはアルミ合金製である中空の枠の角部に補強部材を設け、中空部に補強バーを設けることにより、軽量でかつ、印刷時に枠が撓むことによる印刷精度の低下を防止できる枠が得られる。
【考案を実施するための最良の形態】
【０００７】
以下、本考案の代表的実施様態を説明する。
図１は本考案の１実施例を上から見た図であり、(1)は枠を表す。
【０００８】
図２は図１のa部の断面を左から見た図である。
枠(1)は中空のアルミ又はアルミ合金製の角状のパイプからなり、パイプの内部には補強バー(2)が設けられている。尚、(3)は枠の中空部を表す。
【０００９】
補強バー(2)の形状は枠(1)の中空部(3)の内壁に接する寸法であることが望ましく、補強バーの位置と数には特に制限はなく、枠(1)の辺と平行や斜めに、十字状、井桁状、網目形状等が挙げられる。又、枠(1)部全体に設けても良いし、断続的に設けても良い。枠(1)の撓みを防止するという目的から考えると枠(1)を断面から見た際の対角線上に設けるのが望ましい。
【００１０】
補強バー(2)の材質は特に限定しないがアルミやアルミ合金等の金属のほかに、樹脂材料等を用いてもよい。
【００１１】
図３は図１のb部を上から透視した平面図である。
枠(1)の角部にはそれぞれ補強部材(5)が設けられた構造になっている。
補強部材(5)は枠の中空部(3)に差し込み（図５）、ボルト(4)で固定することにより保持されている(図３、４)。補強部材(5)を設ける位置、及びその数には特に制限はなく、図４のように中央に１本設けても良いし、複数本設けても良い。
【００１２】
補強部材(5)の材質は印刷時の撓みを防止するという目的を考慮するとアルミもしくはアルミ合金が望ましい。
【図面の簡単な説明】
【００１３】
【図１】本考案の１実施例を上から見た図
【図２】図１のａ部の断面を左から見た図
【図３】図１のｂ部を上から透視した平面図
【図４】図３のｃ部の断面を左から見た図
【図５】補強部材(5)の取り付け方法を表す図
【符号の説明】
【００１４】
１．枠
２．補強バー
３．中空部
４．ボルト
５．補強部材
【図１】
0003130849.tif 000003
【図２】
0003130849.tif 000004
【図３】
0003130849.tif 000005
【図４】
0003130849.tif 000006
【図５】
0003130849.tif 000007
(57)【要約】      （修正有）【課題】従来のスリッパは脱いだ後に次に履く時体を回すかスリッパの向きを返なければなりません。そうすることにより歩行の悪い方にとっては不便ですし、手で向きを返ることによる衛生面の問題もあります。この考案はそのような間題を解決するものとして提供します。【解決手段】スリッパの足の甲のカバー１を前後に移動させるため、スリッパの側面にビニール紐３を付け紐が通る部々６を空洞にしてそのカバーが移動するようにしました。そして側面の中央にリング２を付けそのカバーが金具のリング７を中心に扇型に移動することにより前に行き過ぎないようにもしました。そしてビニール紐３を先の方４、５に付けることによりつまずきを少なくし、向きを返ないで履けるスリッパを提供します。【選択図】図１
0003130349.tif 000002
【実用新案登録請求の範囲】
【請求項１】
スリッパの足の甲のカバーを前後に移動させるために側面にビニール紐▲３▼を付け紐が通る部々▲６▼を空洞にして足の甲のカバーが動くようにしました。そして側面の中央にリング▲２▼を付けそのカバーが金具のリング▲７▼を中心に扇型のように移動できるようにしましたそして紐の付け根をできるだけ先の方に▲４▼▲５▼に付けるようにした  向きを返ないで履けるスリッパです。
［撰択図］図１
【考案の詳細な説明】
【技術分野】
【０００１】  本考案は、スリッパの足の甲のカバーをビニールの紐やリングを利用して移動させることにより、前後から足を入れることができる向きを返ないで履けるスリッパに関するものです。
【背景技術】
【０００２】  従来のスリッパは一方の後ろから足を入れるものですが、そのまま脱いだ場合次に履く時は体を回すかスリッパの向きを返なければなりません、また（特許文献１参照）のスリッパではスリッパの先がすれた時つまずきやすいものです。
【特許文献１】公開番号  特許公開２００４−１６０１２９
【考案の開示】
【考案が解決しようとする課題】
【０００３】  歩行の悪い方例えば高齢者の方がスリッパの向きを返ようとして転びそうになることや腰痛で屈めない人などの不便さやまたトイレで手で向きを返えることによる衛生面などを解決し、またつまずきづらくすることです。
【課題を解決するための手段】
【０００４】  前後から履けるよう足の甲のカバーを移動させるために側面にビニール紐▲３▼を付け紐が通る部々▲６▼を空洞にしてカバーが動くようにしましたそして側面の中央にリング▲２▼を付けそのカバーがスムーズに金具のリング▲７▼を中心に扇型に移動するようにしましたそれは前に行き過ぎないようにもします、また紐の付け根を先の方▲４▼▲５▼に付けることによりスリッパの先が裏側にめくれてつまずかないようにしました。
【撰択図】
図１
【考案の効果】
【０００５】  屈んで向きを返ることによる危険も少なくなりますし、直接手で触らなくてよいので衛生面でも効果があります、さらに足の甲のカバーが足になじむように移動するので安全性が高いです。
【考案の実施するための最良の形態】
【０００６】▲イ▼足の甲のカバー▲１▼が前後に移動しやすくするために側面にビニール紐▲３▼を付け紐が通る部々▲６▼を空洞にしてカバーが移動するようにしました。
▲ロ▼足の甲のカバーがさらに移動しやすくするために側面の中央にリング▲２▼を付けることにより金具のリング▲７▼を中心に前後に扇型のように移動させました  それによってカバーが前に行き過ぎないようにもしています。
▲ハ▼側面のビニール紐▲３▼をつま先の方▲４▼▲５▼に付けることによりスリッパの先が裏側にめくれてつまずくのを防ぎます。
▲ニ▼ビニール紐▲４▼▲５▼と金具▲７▼の必要でない部々は底の２枚のスポンジの間で始末をします。
【撰択図】
図１
【図面の簡単な説明】
【０００７】
【図１】本考案の斜視図
【図２】本考案の側面図
【符号の説明】
【０００８】    ▲１▼足の甲カバー
▲２▼リング
▲３▼ビニール紐
▲４▼ビニール紐の付け根
▲５▼ビニール紐の付け根
▲６▼足の甲のカバーが移動する所
▲７▼金具のリング
【図１】
0003130349.tif 000003
【図２】
0003130349.tif 000004
【手続補正書】
【提出日】平成18年4月12日(2006.4.12)
【手続補正１】
【補正対象書類名】実用新案登録請求の範囲
【補正対象項目名】全文
【補正方法】変更
【補正の内容】
【実用新案登録請求の範囲】
【請求項１】
足の甲のカバーが前後に移動させるため金具のリングを有し、側面から見てそのリングを中心にカバーが扇型に移動することを特徴とするスリッパである。
【手続補正２】
【補正対象書類名】明細書
【補正対象項目名】０００７
【補正方法】変更
【補正の内容】
【０００７】
【図１】本考案の斜視図（左右対称である）
【図２】本考案の側面図（左右対称である）
【手続補正書】
【提出日】平成18年8月11日(2006.8.11)
【手続補正１】
【補正対象書類名】実用新案登録請求の範囲
【補正対象項目名】全文
【補正方法】変更
【補正の内容】
【実用新案登録請求の範囲】
【請求項１】
スリッパ底上面両端前後のアーチ形のガイドビニール紐を足の甲のカバー両脇の通し穴に通し並びにスリッパ底上面両端中央と足の甲のカバー両側中央を金具リングでつなぐことで向きを返えないで前後両方から履けるスリッパ。
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
スリッパ底上面の左右両端にそれぞれに付けられ、前後方向にアーチ形となるガイドビニール紐を足の甲カバーの左右両脇の通し穴に通し並びにスリッパ底上面左右両端中央と足の甲のカバー左右両端中央を金具リングでつなぐことで向きを返えずに前後両方から履けるスリッパ。
(57)【要約】      （修正有）【課題】トイレ紙巻器の上部カバーに紙送り窓をつけたトイレ用紙巻器を提供する。【解決手段】トイレ紙巻器１の上部紙切断カバー２に紙送り用窓３をつけたことを特徴とする。【選択図】図１
0003130351.tif 000002
【実用新案登録請求の範囲】
【請求項１】
トイレ紙巻器の上部紙切断カバーに長方形の窓を開け、紙送りを衛生的に且つ容易にできるようにしたものである。
【考案の詳細な説明】
【技術分野】
【０００１】  トイレ紙巻器の上部紙切断カバーの一部分に巻き紙を手前下方向に出るように縦に長い長方形の窓をつけたトイレ紙巻器用カバーに関するものである。
【背景技術】
【０００２】  従来のトイレットペーパー用紙巻器カバーは紙の切断面が使用後にはカバーの内側にはいり、次に引き出すには巻紙の横の部分を廻すか、あるいは切断用カバーを持ち上げて巻紙を引き出すかしていた為不便でもあったし、また不衛生でもあった。
本考案は以上のような欠点をなくすためになされたものである。
【考案が解決しようとする課題】
【０００３】  紙送りを容易にし、トイレットペーパーのあちらこちらに手を触れず自分の使用分にだけ手を触れるように衛生面も考慮したものである。
【課題を解決するための手段】
【０００４】  紙巻器の上部紙切断カバー▲１▼の一部分に指先が十分に入るぐらいの上から下方向に長方形の窓▲２▼をあけ巻紙▲３▼をスムーズに下方に引き出せるようにしたものである。
本考案は以上の構成よりなるトイレ紙巻器用紙切断カバーである。
【考案の効果】
【０００５】  トイレ用紙巻器から簡単に次に使用するための紙の先端部分が出せて、しかも巻紙の他の部分に触らず衛生的なトイレ紙巻器用紙切断カバーである。
【考案を実施するための最良の形態】
【０００６】  以上本考案の実施例について説明する。
紙切断カバー面に指が充分に入り、なおかつ余裕のあるように紙切断カバーの上部から手前下部方向に先端部分を丸くした長方形の窓を開ける。
本考案は以上のような構造でこれを使用するときは長方形の窓の中に指を入れ手前下方に引きおろせば巻紙が回転し紙の先端部分が切断カバーより出てくるのでそれを引っ張ればよい。
また長方形の窓は切断カバーの先端まで切り取ってコの字型にしてもよい。
【図面の簡単な説明】
【０００７】
【図１】  本考案の手前上側から観た斜視図である。
【図２】  本考案の正面から観た図である。
【符号の説明】
【０００８】〔図〕１・２
▲１▼紙切断用カバー
▲２▼紙送り用窓
▲３▼巻紙
【図１】
0003130351.tif 000003
【図２】
0003130351.tif 000004
【手続補正書】
【提出日】平成18年5月8日(2006.5.8)
【手続補正１】
【補正対象書類名】実用新案登録請求の範囲
【補正対象項目名】全文
【補正方法】変更
【補正の内容】
【実用新案登録請求の範囲】
【請求項１】
トイレ紙巻器の上部紙切断カバーに長方形の窓を開け、紙送りを衛生的に且つ容易に引き出せるようにした紙送り窓付きトイレ紙巻器用切断カバー
【手続補正２】
【補正対象書類名】明細書
【補正対象項目名】全文
【補正方法】変更
【補正の内容】
【考案の詳細な説明】
【技術分野】
【０００１】トイレ紙巻器の上部紙巻器用切断カバーの一部分に巻き紙を手前下方向に出るように縦に長い長方形の窓をつけた紙送り窓付きトイレ紙巻器用切断カバーに関するものである。
【背景技術】
【０００２】従来のトイレットペーパー用紙巻器切断カバーは紙の切断面が使用後にはカバーの内部にはいり、次に引き出すには巻紙の横の部分を廻すか、あるいは切断用カバーを持ち上げて巻紙を引き出すかしていた為不便でもあったし、また不衛生でもあった。
本考案は以上のような欠点をなくすためになされたものである。
【考案が解決しようとする課題】
【０００３】紙送りを容易にし、トイレットペーパーのあちらこちらに手を触れず自分の使用分にだけ手を触れるように衛生面も考慮したものである。
【課題を解決するための手段】
【０００４】紙巻器▲１▼の上部紙巻器用切断カバー▲２▼の一部分に指先が十分に入るぐらい上から下方向に長方形の窓▲３▼をあけ、巻紙▲４▼をスムーズに下方に引き出せるようにしたものである。
本考案は以上の構成よりなるトイレ紙巻器用切断カバーである。
【考案の効果】
【０００５】トイレ用紙巻器から簡単に次に使用するための紙の先端部分が出せて、しかも巻紙の他の部分に触らず衛生的なトイレ紙巻器用紙切断カバーである。
【考案を実施するための最良の形態】
【０００６】以上本考案の実施例について説明する。
紙巻器用切断カバー面に指が充分に入り、なおかつ余裕のあるように紙巻器用切断カバーの上部から手前下部方向に先端部分を丸くした長方形の窓を開ける。
本考案は以上のような構造でこれを使用するときは長方形の窓の中に指を入れ手前下方に引きおろせば巻紙が回転し紙の先端部分が紙巻器用切断カバーより出てくるのでそれを引っ張ればよい。
また長方形の窓は切断カバーの先端まで切り取ってコの字型にしてもよい。
【図面の簡単な説明】
【０００７】
【図１】本考案の手前上側から観た斜視図である。
【符号の説明】
【０００８】［図］  １
▲１▼トイレ用紙巻器
▲２▼紙巻器用切断カバー
▲３▼紙送り用窓
▲４▼巻紙
【手続補正３】
【補正対象書類名】図面
【補正対象項目名】図２
【補正方法】削除
【補正の内容】
【手続補正４】
【補正対象書類名】図面
【補正対象項目名】図１
【補正方法】変更
【補正の内容】
【図１】
0003130351.tif 000005
(57)【要約】      （修正有）【課題】普通時は飾りとして用い、咄嗟の時には印鑑として役立てる。【解決手段】趣好品と印鑑を合体し、個々の趣味、例えば麻雀、将棋、野球のボール等を小型にして、ストラップで吊して携帯可能にする。【選択図】図１
0003130359.tif 000002
【実用新案登録請求の範囲】
【請求項１】
ストラプ飾に印鑑を合体いして常時携帯して突嗟にしつ用の時に使用する事を目的としたストラプハンである
【考案の詳細な説明】
【技術分野】
【０００１】本考案は装飾と印鑑が日的である
【背景技術】
【０００２】外窒時に常に携帯している  バック。カパン。携帯電語自動車等に邪魔にならい所に吊て趣好品として用いる
【考案の開示】
【考案が解決しようとする課題】
【０００３】常に趣好品として用いて。心のいやすと同時に満足感を得る  別の用途に役所。学校。公共桟関には印鑑として用いる
【課題を解決するための手段】
【０００４】本考案は装飾と趣好品と使用するがキャプを取り印鑑に変る
【考案の効果】
【０００５】普通時は飾として用い突差の時に印鑑に役に立てる
【図面の簡単な説明】
【０００６】
【図１】縦に切た断面の図である
【図２】外見全体図である
【図３】印鑑本体から離したキャプの図である
【図４】印鑑正面図である
【符号の説明】
【０００７】（図１）の１  ストラプ
２  頭
３  印鑑本体
４  キャプ落下防止
５  キャプ
６  印肉
（図３）の１  キャプ本体
２  落下防止
（図４）の１  頭分
２  印鑑本体
３  印鑑
【図１】
0003130359.tif 000003
【図２】
0003130359.tif 000004
【図３】
0003130359.tif 000005
【図４】
0003130359.tif 000006
【手続補正書】
【提出日】平成18年9月6日(2006.9.6)
【手続補正３】
【補正対象書類名】実用新案登録請求の範囲
【補正対象項目名】全文
【補正方法】変更
【補正の内容】
【実用新案登録請求の範囲】
【請求項１】
ストラップ飾に印鑑を合体いして常時携帯して突嗟に必要の時に使用する事を目的としたストラップハンコ。
【手続補正４】
【補正対象書類名】明細書
【補正対象項目名】全文
【補正方法】変更
【補正の内容】
【考案の詳細な説明】
【本品の分野】
【００１】本品は装飾と印鑑である。
【００２】携帯ケス又はカバン又はバック及び自動車等に装飾品として又は趣好品として用いる。
【考案の開示】
【００３】役所学校公共桟関に印鑑として用いる。
【考案の効果】
【００４】普通時は飾として用い突嗟の時に役に立てる。
【図面の簡単な説明】
【図１】本考案の側断面図である。
【図２】外見全体の図である。
【図３】キャップの斜視図である。
【図４】キャップを取り外した状態の印鑑本体の底面図である。
【符号の説明】
１  ストラップ
２  頭
３  印鑑本体
４  落下防止
５  キャップ
0003130359.tif 000007
【手続補正５】
【補正対象書類名】図面
【補正対象項目名】全図
【補正方法】変更
【補正の内容】
【図１】
0003130359.tif 000008
【図２】
0003130359.tif 000009
【図３】
0003130359.tif 000010
【図４】
0003130359.tif 000011
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
ストラップ飾に印鑑を合体して常時携帯して突嗟に必要の時に使用する事を目的としたストラップハンコ。
(57)【要約】【課題】  ピアスの垂直に出ている芯を可倒式にし、ピアス本体に収納する事により、ペンダントネックレスとしての使用も可能にする。【解決手段】  本考案は１ピアス本体に３可倒ピアス芯固定棒を設け、２ピアス芯を固定し、容易に本体収納出来ると共に、４チェーンを通す部分を設けペンダントネックレスとしても使用可能にした。【選択図】図１
0003130354.tif 000002
【実用新案登録請求の範囲】
【請求項１】
宝飾品である、ペンダントネックレスとピアスを、同じ商品で二通りに使える様にした宝飾品。
【考案の詳細な説明】
【技術分野】
【０００１】  本考案は、ピアスの芯を可倒式にする事により、ペンダントにも使用可能にした宝飾品に関するものである。
【背景技術】
【０００２】  垂直に立ったピアスの芯はペンダントとして使用するには無理があり、構造的に不可能であった。
【考案の開示】
【考案が解決しようとする課題】
【０００３】  ピアス本体をペンダントとして使用するために、邪魔になる垂直に立った芯を解決しようとするものである。
【課題を解決するための手段】
【０００４】  本考案はピアス本体に、ネックレスの通せる部分を造ると共に、垂直に立った芯を可倒式にし、本体に収納する事により、ピアス、ペンダントネックレス両方に使用できる事を可能にしている。
【考案の効果】
【０００５】  上述のように、ピアス本体に垂直に立った芯を収納できる様にする事で、通常であればペンダントとして使用出来ないピアスをペンダントとしても使用できる。
【考案を実施するための最良の形態】
【０００６】  本体から垂直にでているピアス芯を、手で本体内に収納し、本体の側面からチェーンを通しペンダントネックレスとしても使用可能。
【実施例】
【０００７】  以下、添付図面に従って説明します。１．は貴金属製のネックレス留め金具。２．柔らかい素材のネックレス。３．は片側固定の為の金具（クリップ）４．は本体開口部でここにペンダントを通す事も可能。
【図面の簡単な説明】
【０００８】
【図１】  本考案のネックレスの使用例。
【符号の説明】
【０００９】１  本体
２  可倒ピアス芯
３  可倒ピアス芯固定棒
４  チェーンを通す部分（空間）
【図１】
0003130354.tif 000003
【手続補正書】
【提出日】平成18年3月28日(2006.3.28)
【手続補正１】
【補正対象書類名】明細書
【補正対象項目名】０００７
【補正方法】変更
【補正の内容】
【０００７】  以下、添付図面に従って説明します。１は本体で２はピアス用の可倒芯で、ピアス使用時は、図面の様に起こして使用する。３は可倒ピアス芯の固定棒でここを基点で芯が可倒する。４はチェーンを通してペンダントとして使用。
【手続補正書】
【提出日】平成18年5月19日(2006.5.19)
【手続補正１】
【補正対象書類名】実用新案登録請求の範囲
【補正対象項目名】全文
【補正方法】変更
【補正の内容】
【実用新案登録請求の範囲】
【請求項１】
ピアス本体に、大きめの開口部を設け、ピアス芯が稼動式により本体に収納出来る事を特徴とするピアス、ペンダント兼用の身飾り品。
(57)【要約】      （修正有）【課題】スカート着用時、電車などでの着座時に下着が見えないようにするインナーパーツを設けた改良型ペチコートの提供。【解決手段】ペチコートの裏側に取り付けた、インナーパーツ３により、もしくはペチコートを直接部分カットすることにより出来るインナーパーツにより、着座時に両足の間にインナーパーツが垂れ下がることにより、下着を隠す。【選択図】図１
0003130358.tif 000002
【実用新案登録請求の範囲】
【請求項１】
図１のように、ペチコート（１）と同様の素材等でレースなどを装飾したり、縦にカットスリット（４）を適宜入れたりした下着の目隠し用インナーパーツ（３）をペチコートの裏側にインナーパーツの上端（２）を縫合して取り付けたスカート用改良ペチコート。
【請求項２】
図２のようにペチコート（１）の一部分をカット（５）して出来る、図１と同様の下着の目隠し用インナーパーツ（３）を設けたスカート用改良ペチコート。
【考案の詳細な説明】
【技術分野】
【０００１】本考案は、下着の見えない改良ペチコートに関するものである。
【背景技術】
【０００２】従来、電車などでの着座時に、スカートから下着が見えることがあった。
【考案の開示】
【考案が解決しようとする課題】
【０００３】これを防ぐためのペチコートの改良。
【課題を解決するための手段】
【０００４】そこで、ペチコートにインナーパーツを取り付けること、若しくはペチコートを部分カットしてインナーパーツを設けることで下着を隠すことを考案した。
【考案の効果】
【０００５】これによって、電車などでの着座時にスカートから下着が見えることを防止することが出来る。
【考案を実施するための最良の形態】
【０００６】ペチコートの裏側に、図１に示すような両足の間の空間にフィットするような、レース等で装飾したり、縦にカットスリット（４）を適宜入れたりした形のインナーパーツ（３）を取り付ける、若しくは図２のようなペチコートの一部分をカット（５）して同様の形のインナーパーツ（３）を設けることにより、スカート着用時の電車などでの着座時に、図３のように両足の間にインナーパーツ（３）が垂れ下がることにより下着を隠すことが可能となる。
【図面の簡単な説明】
【０００７】
【図１】本考案に係わるインナーパーツ（３）をペチコート（１）の裏側に取り付けた図である。
【図２】本考案に係わるインナーパーツ（３）をペチコートの一部分をカット（５）することによりペチコートに設けた図である。
【図３】本考案による改良ペチコートを着用した人が着座した時の姿を、前面から見た場合のインナーパーツ（３）の形状図である。
【符号の説明】
【０００８】１      ペチコート
２      ペチコートの裏側にに縫合するインナーパーツの上端部分
３      下着を隠すインナーパーツ
４      縦にカットしてスリットを入れる線
５      ペチコートの一部分をカットする線
６      足
７      スカート
【図１】
0003130358.tif 000003
【図２】
0003130358.tif 000004
【図３】
0003130358.tif 000005
【手続補正書】
【提出日】平成18年8月23日(2006.8.23)
【手続補正１】
【補正対象書類名】実用新案登録請求の範囲
【補正対象項目名】全文
【補正方法】変更
【補正の内容】
【実用新案登録請求の範囲】
【請求項１】
スカート着用時の着座時に、着座した人の正面から見て出来る両足とスカートとの間の空間を埋める形にカットした布状のインナーパーツの上端をペチコートの中央裏側に縫合することにより、着座時に両足の空間にインナーパーツが垂れ下がり、下着が隠れる改良型ペチコート（図１参照）
【請求項２】
スカート着用時の着座時に、着座した人の正面から見て出来る両足とスカートとの間の空間を埋める形を、ペチコートの中央部にその形の上端を残した形にカットして出来るインナーパーツを設けることにより、着座時に両足の空間にインナーパーツが垂れ下がり、下着が隠れる改良型ペチコート。（図２参照）
【手続補正書】
【提出日】平成18年12月12日(2006.12.12)
【手続補正１】
【補正対象書類名】実用新案登録請求の範囲
【補正対象項目名】全文
【補正方法】変更
【補正の内容】
【実用新案登録請求の範囲】
【請求項１】
スカート着用時の着座時に、着座した人の正面から見て出来る両足とスカートとの間の空間を埋める形にカットした布状のインナーパーツの上端をペチコートの中央裏側に縫合することにより、着座時に両足の空間にインナーパーツが垂れ下がり、下着が隠れる改良型ペチコート。
【請求項２】
スカート着用時の着座時に、着座した人の正面から見て出来る両足とスカートとの間の空間を埋める形を、ペチコートの中央部にその形の上端を残した形にカットして出来るインナーパーツを設けることにより、着座時に両足の空間にインナーパーツが垂れ下がり、下着が隠れる改良型ペチコート。
(57)【要約】      （修正有）【課題】従来は手間がかかって、特に不慣れな者には大変だった、ボタン付けや縫製作業を何時でもどこでも誰でも簡単に出来るようにする。【解決手段】途中に楕円形の穴の空いた針を、１本から数本を組み合わせることにより縫製などを容易にして、特にボタン付けなどの作業を何時でもどこでも  誰でも簡単に出来るよう工夫した。【選択図】図２
0003130356.tif 000002
【実用新案登録請求の範囲】
【請求項１】
従来、服にボタンを付けるには一本の針と糸による縫い付け方法やミシンによる取り付け方法だったのでボタンひとつ付けるにも手間がかかり又、服一着分を取り替えるとなると、特に不慣れな者には大変な作業でした。この考案は、途中に楕円形の穴の空いた針の１本から数本の組み合わせたものを利用することによりボタンなどの縫製を容易にした針で、何時でも、どこでも、誰でも、簡単にボタン付けなどが出来るよう工夫したものです。
【請求項２】
請求項１のボタン付け等縫製用の針に使用する糸で２、３０ｃｍ位の程よい長さで、片方又は両端を２、３ｃｍ程を樹脂などで固めた糸です。
又請求項１のボタン付け等の縫製用の針に使用する糸は普通の糸も使用できますが、上記の様な糸を使用すればより簡単に付けられます。
【考案の詳細な説明】
【技術分野】
【０００１】この考案は、コンパクトで何時でもどこでも誰でも簡単に出来る、ボタン付けなど縫製を容易にした針と糸に関するものです
【背景技術】
【０００２】従来服にボタンを付けるには一本の針と糸による縫い付け方法やミシンによる取り付け方法だった
【考案の開示】
【考案が解決しようとする課題】
【０００３】従来、服にボタンを付けるには一本の針と糸による縫い付け方法やミシンによる取り付け方法だったのでボタンひとつ付けるにも手間も多くかかり、又服一着分を取り替えるとなると、特に不慣れな者には大変な作業でした
【課題を解決するための手段】
【０００４】途中楕円形の穴の空いた１本から数本の組み合わせで作った針を利用することによりボタンの縫製などを容易にした針です。
【考案の効果】
【０００５】何時でもどこでも誰でも簡単にボタン付けなどが出来る。
【考案を実施するための最良の形態】
【０００６】コンパクトで携帯にも便利で従来の針と糸に比べても扱いやすく何時でもどこでも誰でも簡単にボタン付けなどが出来る。
【図面の簡単な説明】
【０００７】
【図１】本考案品の形態を表した図です
【図２】本考案品の２本針の物の使用時の図です
【図３】本考案品の２本針の物の針を抜いた時の図です
【図４】本考案品の４本針（ボタン穴４個）の使用時の図です
【図５】両端を樹脂などで固めた糸の図です
【符号の説明】
【０００８】１  針（楕円形の穴の空いた針）の部分
２  針の土台の部分
３  糸などを切るカッターの部分
【図１】
0003130356.tif 000003
【図２】
0003130356.tif 000004
【図３】
0003130356.tif 000005
【図４】
0003130356.tif 000006
【図５】
0003130356.tif 000007
【手続補正書】
【提出日】平成18年5月11日(2006.5.11)
【手続補正１】
【補正対象書類名】明細書
【補正対象項目名】０００７
【補正方法】変更
【補正の内容】
【０００７】
【図１】  本考案品の形態を表した図です
【図２】  本考案品の２本針の物の使用時の図です
【図３】  本考案品の２本針の物の針を抜いた時の図です
【図４】  本考案品の４本針（ボタン穴４個）の使用時の図です
【図５】  本考案品の１本針の形態を表した図です
【図６】  １本から数本の片方もしくは両端を樹脂などで平らに固めた糸の図です
【手続補正２】
【補正対象書類名】図面
【補正対象項目名】全図
【補正方法】変更
【補正の内容】
【図１】
0003130356.tif 000008
【図２】
0003130356.tif 000009
【図３】
0003130356.tif 000010
【図４】
0003130356.tif 000011
【図５】
0003130356.tif 000012
【図６】
0003130356.tif 000013
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
ボタン付けなどの縫製を容易にした裁縫用の針
【請求項２】
ボタン付けなどの縫製を容易にした裁縫用の糸
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
従来、服にボタンを付けるには、一本の針と糸による縫い付け方法や、ミシンによる取り付け方法だったので、ボタンひとつ付けるにも手間がかかり又、服一着分を取り替えるとなると、特に不慣れな者には大変な作業でした。
この考案は、途中に楕円形の穴の空いた針の１本から数本の組み合わせたもの（１本、２本組、４本組等）を利用することによりボタンなどの縫製を容易にした針で、針に生地、ボタンの順に差し込み、針穴に糸を通し、針を引き抜き、糸を結び、余分な糸をカッターなどで切り取る方法で、何時でも、どこでも、誰でも、ボタン付けなどの縫製を容易にした裁縫用の針。
【請求項２】
請求項１のボタン付けなどの縫製を容易にした裁縫用の針に使用する糸で、糸の太さや用途に応じて１本又は数本束ねたものを、２、３０ｃｍ位の長さにカットして、片方又は両端の２、３ｃｍ程を糊などで固めて尖らして、針穴に通し易くした裁縫用の糸。
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
楕円形の穴の空いた針の２本組、４本組などを利用することにより、ボタン付けなどの縫製を容易にした裁縫用の針。
【請求項２】
糸の太さや用途に応じて、１本もしくは数本を束ねて、片方もしくは両端を糊などで固めて、針穴に通し易くした裁縫用の糸。
【手続補正書】
【提出日】平成18年12月13日(2006.12.13)
【手続補正１】
【補正対象書類名】実用新案登録請求の範囲
【補正対象項目名】全文
【補正方法】変更
【補正の内容】
【実用新案登録請求の範囲】
【請求項１】
棒状の土台に、１本あるいは２本あるいは４本の、穴のあいた針を取り付けた裁縫用の針
【請求項２】
請求項１の針に使用する、端を糊などで固めた糸
(57)【要約】      （修正有）【課題】容積が小さくなるように更に折り畳むことができる折り畳み自転車を提供する。【解決手段】折り畳み自転車は、ヘッド１と、フレーム２とを備え、ヘッドは、ハンドルバー１１と、ハンドルステム１２と、折り畳み連結部１３と、フロントフォーク１４とを備え、フロントフォークは、それぞれ内側に凹んでいる２つのフォークブレード１４１を備える。これにより、ハンドルバーがハンドルステムと共に下方に折り畳まれた時、ハンドルバーは更に折り畳まれて、フォークブレードに干渉すること無くフォークブレードの凹部に置かれる。【選択図】図１
0003130318.tif 000002
【実用新案登録請求の範囲】
【請求項１】
ヘッドと、
フレームとを備え、
上記ヘッドは、ハンドルバーと、ハンドルステムと、折り畳み連結部と、フロントフォークとを備え、
上記フロントフォークは、それぞれ内側に凹んでいる２つのフォークブレードを備えることを特徴とする折り畳み自転車。
【請求項２】
上記折り畳み自転車は、更に、上記フレームに留具を、上記ハンドルステムにフックを備え、上記フックは、上記ハンドルバーが下方に折り畳まれた時に、上記留具と嵌合することができることを特徴とする請求項１記載の折り畳み自転車。
【請求項３】
上記折り畳み自転車は、更に、上記フォークブレードの凹部を覆う弾性材で作られた保護パッドを備えることを特徴とする請求項１または２記載の折り畳み自転車。
【考案の詳細な説明】
【技術分野】
【０００１】
本考案は、折り畳み自転車に関し、特に、折り畳み自転車のフロントフォークに関する。
【背景技術】
【０００２】
折り畳み自転車は、より小さく折り畳まれる事が求められている。折り畳まれた時の折り畳み自転車の容積を小さくする為に、通常は折り畳み連結部が折り畳み自転車のハンドルステムの下に配設される。これにより、ハンドルバーはハンドルステムと共に下方に折り畳まれることができ、折り畳まれた後は、ハンドルバーはフロントフォークのフォークブレードに置かれる。
【考案の開示】
【考案が解決しようとする課題】
【０００３】
しかしながら、フロントフォークのフォークブレードは前から見たときにストレート管であるので、ハンドルバーは、フォークブレードに置かれる時に、傾いて支持される。したがって、折り畳み自転車はこれ以上折り畳まれることができず、折り畳まれた時の容積はまだ比較的大きい。
【０００４】
本考案は、このような実情に鑑みてなされたものであり、折り畳まれた時に容積が小さくなるように、ハンドルバーがフォークブレードと干渉しない折り畳み自転車を提供することを目的とする。
【課題を解決するための手段】
【０００５】
本考案にかかる折り畳み自転車は、ヘッドと、フレームとを備え、上記ヘッドは、ハンドルバーと、ハンドルステムと、折り畳み連結部と、フロントフォークとを備え、上記フロントフォークは、それぞれ内側に凹んでいる２つのフォークブレードを備えることを特徴としている。
【考案の効果】
【０００６】
本考案にかかる折り畳み自転車においては、フロントフォークのフォークブレードが内側に凹んでいる為、ハンドルバーがハンドルステムと共に下方に折り畳まれた時、ハンドルバーはフォークブレードに干渉すること無くフォークブレードの凹部に置かれることができる。したがって、折り畳み自転車は容積が小さくなるように更に折り畳まれることができる。
【考案を実施するための最良の形態】
【０００７】
以下、本考案を適用した具体的な実施の形態について図面を参照しながら詳細に説明する。
【０００８】
図１に示すように、本考案にかかる実施の形態の折り畳み自転車は、ヘッド１と、フレーム２とを備え、ヘッド１は、ハンドルバー１１と、ハンドルステム１２と、折り畳み連結部１３と、フロントフォーク１４とを備え、フロントフォーク１４は、それぞれ内側に凹んでいる２つのフォークブレード１４１を備えることを特徴としている。
【０００９】
図２に示すように、ハンドルステム１２が折り畳まれた状態にある時、ハンドルバー１１は更に折り畳まれて、フォークブレード１４１に干渉すること無くフォークブレード１４１の凹部１４２に置かれることができる。したがって、折り畳み自転車は容積が小さくなるように更に折り畳まれることができる。
【００１０】
ハンドルバー１１が凹部１４２に置かれる為、ハンドルバー１１と凹部１４２の間の衝突と摩擦が、表面の破壊または引掻き傷をハンドルバー１１と凹部１４２に起こすかもしれない。表面の損傷を防ぐ為に、図３に示すように、プラスチック、ゴム、及びゴムとプラスチックの化合物などの弾性材で作られた保護パッド１４３が折り畳み自転車のフロントフォークの凹部１４２を覆う。ハンドルバー１１がハンドルステム１２と共に下方に折り畳まれた時、ハンドルバー１１はフォークブレード１４１の凹部１４２に直接接しない為、ハンドルバー１１とフォークブレード１４１の表面は十分に保護される。
【００１１】
図４に示すように、本考案にかかる他の実施の形態の折り畳み自転車は、更に、フレーム２に留具３を、ハンドルステム１２にフック４を備え、ハンドルバー１１が下方に折り畳まれた時にフック４は留具３に嵌合することができる。ハンドルステム１２が下方に折り畳まれた時に、フック４は緊密に留具３と嵌合する為、ハンドルステム１２とハンドルバー１１は十分に固定され、ハンドルステム１２とハンドルバー１１が折り畳まれた後に揺れ動く事を防止する。
【００１２】
なお、上述した実施の形態では、本考案が望ましい具体例として記述されていたが、本考案は、これに限定されるものではないことは理解されるべきである。これに対して、様々な変形例並びに同様の配置及び構成を包含するように意図されるべきである。したがって、添付した実用新案登録請求の範囲は、そのような変形例並びに同様の配置及び構成を全て包含するように、最も広い解釈として与えられるべきである。
【図面の簡単な説明】
【００１３】
【図１】本考案の１つの実施の形態として示す折り畳み自転車の概略図である。
【図２】図１に示す折り畳み自転車の折り畳まれた時の概略図である。
【図３】図１に示す折り畳み自転車のフロントフォークの概略図である。
【図４】本考案の他の実施の形態として示す折り畳み自転車の概略図である。
【符号の説明】
【００１４】
１  ヘッド
２  フレーム
１１  ハンドルバー
１２  ハンドルステム
１３  折り畳み連結部
１４  フロントフォーク
１４１  フォークブレード
１４２  凹部
１４３  保護パッド
【図１】
0003130318.tif 000003
【図２】
0003130318.tif 000004
【図３】
0003130318.tif 000005
【図４】
0003130318.tif 000006
(57)【要約】      （修正有）【課題】長さ調整をより小刻みに行うことを可能とし、高齢者や身体障害者に対して、使いやすいステッキや松葉杖などのシャフトを提供する。【解決手段】金属パイプに複数列の穴加工を施す。【選択図】図１
0003130313.tif 000002
【実用新案登録請求の範囲】
【請求項１】
棒状の素材に、内部より出没自在の係合突起に係合する係合穴加工を施しその穴の列に近接し、なおかつ穴位置のずれた穴列を１以上有する小刻みな長さ調整を可能とする長さ調整方法を取り入れたシャフト
【請求項２】
棒状の素材に、係合穴加工を施しその穴の列に近接し、なおかつ穴位置のずれた穴列を１以上有するシャフトの中に係合ピン又は、係合螺子をとめるシャフトを有する小刻みな長さ調整を可能とするシャフト。
【考案の詳細な説明】
【技術分野】
【０００１】
本考案は、使用者が、より自分の使用長さに合わせて長さ調整可能で安全に歩行補助できる
ステッキや松葉杖状のシャフト
【背景技術】
【０００２】
従来のステッキや松葉杖状のシャフトでは、長さ調整を行う調整幅が大きすぎて妥協して使用しなければならなかった。
【０００３】
したがって、従来型ステッキや松葉杖状のシャフトを使用する高齢者や身体障害者は、不要な疲れを余儀なくされ、安全性や快適な使用は、確保されにくくなっている。
【考案の開示】
【考案が解決しようとする課題】
【０００４】
従来のステッキや松葉杖状のシャフトは、使用者の必要な長さ調整が不可能で妥協して使わざるを得なかったため使用者の負担が大きかった。
【０００５】
本考案は、小刻みな長さ調整を可能とし、安全性の向上と使用者の疲労を軽減に寄与するステッキや松葉杖状のシャフトを提供することを目的とする。
【課題を解決するための手段】
【０００６】
上記目的を達成するために請求項１にかかるシャフトは、長さ調整用の穴を複数列明けることにより、長さ調整を小刻みに行うことを可能としたことを特徴とするものである
【０００７】
また、請求項２にかかるシャフトは、長さ調整用の穴を複数列明けることにより、長さ調整を小刻みに行うことを可能としたことを特徴とするものである。
【考案の効果】
【０００８】
請求項１及び請求項２に係るシャフトは、小刻みな長さ調整が可能となり使用者の安全確保と疲労軽減に有益かつ効果的である。
【実施例】
【０００９】
図１に示す第１実施例は、複数列の穴加工を施し長さ調整をより小刻みに行うことを可能としたものである。
【図面の簡単な説明】
【００１０】
【図１】本考案に係るシャフトの長さ調整部の形状図である
【符号の説明】
【００１１】
１・・・複数列に明いた穴
２・・・ロックナット
３・・・係合突起（又は、係合螺子、係合ピン）
【図１】
0003130313.tif 000003
(57)【要約】      （修正有）【課題】磁石を使ったデザイン性と創造性に優れた玩具及びステーショナリー、及びインテリア用品の提供。【解決手段】底部が球状で安定性がない半球状の部材Ｂの平面部分中心に穴が開いており、付属の棒Ａを差し込もうとすると内部に装着してある磁石２ｂの磁性帯の特性によって穴の中心から棒が弾かれなおかつ半球状の部材に安定性がないので思い通りの目的が達成しずらくなるもどかしさを有した磁石の特性を目で見える形で表現した玩具及びステーショナリー、及びインテリア用品。【選択図】図１
0003130390.tif 000002
【実用新案登録請求の範囲】
【請求項１】
半球型の比較的軽量な部材にリング状磁石を組み込み平面部分の中心に明けた穴に対して先端に円柱状の磁石を埋め込んだ比較的軽量な部材で作られた丸棒を磁力に逆らって差し込む玩具及びステーショナリー及びインテリア用品
【考案の詳細な説明】
【技術分野】
【０００１】本考案は磁石を用いた玩具及びステーショナリー及びインテリア用品に関するものである
【背景技術】
【０００２】従来の磁石を用いた玩具及びステーショナリー及びインテリア用品には連結車両、ブロック積み木、砂鉄を利用したお絵描きボード、魚釣りゲーム、パズル、囲碁、将棋、麻雀、オセロ、チェス、野球盤、知育玩具、クリップホルダー、ペーパーホルダー、ドアチャイム、ドアストッパー、ペンホルダー、靴べら、フック等がある
【考案の開示】
【考案が解決しようとする課題】
【０００３】上記の商品類における磁石の利用方法は、磁石の持つ磁性を利用して単純に吸着させることで完結するものが多く、磁石の持つ磁力の動きの面白さ、可能性をダイレクトに表現したものはなかった
【課題を解決しようとする手段】
【０００４】底部が球状で安定性がない半球状の部材の平面部分中心に穴が明いており、付属の棒を差し込もうとすると内部に装着してある磁石の磁性帯の特性によって穴の中心から棒が弾かれなおかつ半球状の部材に安定性がないので思い通りの目的が達成しずらくなるもどかしさを有した磁石の特性を目で見える形で表現した玩具でありステーショナリーでありインテリア用品
【考案の効果】
【０００５】課題を解決するに十分な固有の効果を有するものであり、きわめて使いやすく丈夫で上質のものである
【考案を実施するための最良の形態】
【０００６】図１は棒が穴に入った際の本考案の断面図である。図２は平面図である。図３は棒側の磁石と半球体側の磁石とのＳ極とＮ極の位置関係による吸着と反発の有り様を示しており棒の先端部分はリング状の磁石に吸着されて穴に入りずらい仕組みになっている。本考案の製作に関してはプラスチックや陶器、ゴム、ウレタン、スポンジ、発砲スチロール等の化学製品を使用した方が一体成型や大量生産をするうえで簡単であるが手に取って使用したり、玩具以外にクリップホルダーなどステーショナリーとして使用したりインテリア用品として室内に飾ることを考えると木製で無垢材を使用することが望ましい。遊び方は棒の切り欠き部分、図中の３ｃを指先で摘み半球状の部材の平面部分の中心の穴に対して片手で垂直に入れることができれば成功である。
【産業上の利用可能性】
【０００７】時間や「できる、できない」を競うゲーム用品として、幼児教育用の知育玩具として磁石の特性を知る為に利用することが可能であり肢体不自由者のリハビリ用品としても使用可能である。
またインテリア用品としてはちょっとした遊べる置物、ステーショナリーとしてはクリップや一部金属を使用している机上の小物用ホルダーとしても利用可能である。病院や施設等の待合室での時間つぶし用の備品兼玩具ともなる。
【図面の簡単な説明】
【０００８】
【図１】棒が穴に入った状態を示した断面図である
【図２】棒が穴に入った状態を示した平面図である
【図３】棒と半球体が接近した際の磁石のＳ極とＮ極の位置関係
【符号の説明】
【０００９】Ａ    棒
Ｂ    半球体
１ａ  円柱状磁石
２ｂ  リング状磁石
３ｃ  棒の切り欠き部分
【図１】
0003130390.tif 000003
【図２】
0003130390.tif 000004
【図３】
0003130390.tif 000005
【手続補正書】
【提出日】平成18年12月16日(2006.12.16)
【手続補正１】
【補正対象書類名】実用新案登録請求の範囲
【補正対象項目名】全文
【補正方法】変更
【補正の内容】
【実用新案登録請求の範囲】
【請求項１】
半球型の比較的軽量な部材にリング状磁石を組み込み平面部分の中心に明けた穴に対して先端に円柱状の磁石を埋め込んだ比較的軽量な部材で作られた丸棒を磁力に逆らって差し込む玩具及びステーショナリー及びインテリア用品の全ての要素を備えたもの
(57)【要約】      （修正有）【課題】靴下の上部にウレタン素材のドーナツ型パッドを付ける事により正座を繰り返しした際に出来る座りタコを防止する。【解決手段】爪先部分カットの靴下の上部内側にドーナツ型のパッドを付ける事により正座した際に足の甲の骨が出る事により、その部分の皮膚が畳などの面に刺激され皮膚が変形、肥厚しない様、床面にあたらない様にするもので有る。よって直接皮膚が刺激されないため座りタコを防止する事が出来る。【選択図】図１
0003130386.tif 000002
【実用新案登録請求の範囲】
【請求項１】
靴下の内側上部にドーナツ型のウレタンパッドを付ける事によって、座りタコ（べんち腫）を防止する座りタコ防止
【考案の詳細な説明】
【技術分野】
【０００１】  本考案は、座りタコを防止するためのドーナツ型ウレタンパッドを内側に付けた、靴下に関するものである。
【背景技術】
【０００２】  和室を使用した会合、お座敷等で仕事をする場合に直接畳の上に正座をする事になります。一般的な普通の靴下、足袋では正座を繰り返しているうちに座りタコが出来てしまいます。
【考案の開示】
【考案が解決しようとする課題】
【０００３】  畳の上に直接座る様な事になっても、座りタコ防止靴下を履くことによって、上部にドーナツ型パッドが付いている事により皮膚を刺激しないため、座りタコが出来るのを防止する事が出来る。
【課題を解決するための手段】
【０００４】  本考案は、靴下の上部にドーナツ型パッドを付け、正座した際に足の甲の出っ張る骨の部分にドーナツ型パッドの溝の部分がくる様にする事で皮膚と畳、床面が摩擦を避けるため、タコが出来るのを防ぐ。
【考案の効果】
【０００５】  本考案の座りタコ防止靴下は、パッドが上部に縫い付けて有るためズレの心配も少なく、ドーナツ型パッドが皮膚を守り座りタコを防止する。
【考案の実施するための最良の形態】
【０００６】  靴下部分は爪先部分をカットした事で、例えば５本指タイプの靴下を履いた上に重ねて履いても良い、又足袋を履く場合は足袋の下に履く事も出来ます。素足でも靴下を履いた状態であっても座りタコ防止靴下は、上部のドーナツ型パッドを足の甲の座った時に出る骨の部分に装着すれば座りタコは防止出来ます。
【実施例】
【０００７】  添付図面の靴下部分は、爪先部分をカットしたもので、素材は一般的な綿、ナイロンを使用ドーナツ型パッドはウレタン素材でウレタン部分には薄い素材の布で覆った物が靴下上部の内側に縫い付けられます。
【図面の簡単な説明】
【０００８】
【図１】  上部にウレタン．ドーナツ型パッドの付いた靴下です。
【図１】
0003130386.tif 000003
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
靴下の内側上部にドーナツ型のウレタンパッドを付ける事によって、座りタコを防止する座りタコ防止靴下。
(57)【要約】      （修正有）【課題】外出時に忘れず携帯出来、邪魔に成らず小型化しても、ある程度のメモスペースが確保出来る、携帯メモ板を提供する。【解決手段】外出時ほぼ確実に携帯する財布や免許証ケースに付帯しているカードケースに入る硬質のカード状のメモ板１で両面の縁に不乾燥性の粘着剤を塗布し、その上にメモ紙２を貼り付けメモ書きして書くスペースが無くなったらメモ紙を剥がし裏返して貼り付け使用する、最大でメモ紙の４ページ分メモ出来る。【選択図】図１
0003130383.tif 000002
【実用新案登録請求の範囲】
【請求項１】
硬質のプレート製で、表裏の区別がないカードで、そのカードの縁に不乾燥性の粘着剤を塗布し、その上にメモ紙を貼り片面を使用したら剥がし裏返して貼るか、新しいメモ紙を貼り変えるかして、繰り返し使用出来る事を特徴とした携帯メモ板。
【請求項２】
市販の財布や免許証入れの一般的なカードケースに入る大きさにした事を特徴とした、請求項１記載の携帯メモ板。
【考案の詳細な説明】
【産業上の利用分野】
【０００１】  本考案は、カード状の携帯メモ板に関するものである。
【背景技術】
【０００２】  携帯メモ板に関しては、登録実用新案第３０９１６００号、実用新案公開平７−２６１８８があり、どちらもメモ板を単独で持ち歩くタイプである。【０００３】  登録実用新案第３０６３５６３号は、メモ紙のみをカードケースに入れて持ち歩く方法である。
【考案の開示】
【考案が解決しようとする課題】
【０００４】  外出時に、確実に持って出られて邪魔にならず、小型化してもある程度メモスペースがある、携帯メモ板にする事。
【課題を解決するための手段】
【０００５】  硬質のカード状で、そのカードの縁に不乾燥性の粘着剤を塗りその上にメモ紙を貼り、表側に書き終えたらメモ紙を剥がし裏返して貼り裏側にも書ける様にし、この方法をカードの両面にする事で、最大メモ紙の４ページ分のメモスペースが得られる。
又このカードを、市販されている財布や免許証入れのカードケースに入れられる大きさにし、常時財布等のカードケースに入れている事で、外出時に忘れる事なく携帯出来る。
【考案を実施するための最良の形態】
【０００６】  メモ板の両面にメモ紙を貼ったり剥がしたり出来る為、メモ紙を取り替えることでメモ板は繰り返し使う事が出来る。
【実施例】
【０００７】  以下図面に従って実施例を説明する。図２の硬質のカード１の縁に不乾燥性の粘着剤３を塗布し、その上にメモ紙２をカード１の両面に貼り両方のメモ紙２に書くところが無くなったら、メモ紙１の端Ａを持って剥がしメモ紙１を裏返して貼り使用する。
メモをしない時は、常時財布等のカードケース図３に入れておくことで、外出時に忘れることなく携帯出来る。
【考案の効果】
【０００８】  普通の買物等の外出では、買い忘れをしないよう家でメモして行けるし、外出先で領収書やレシートのない出費等、一寸としたことがメモ出来る、又硬質のカードが下敷きになっって書き易い。
【図面の簡単な説明】
【０００９】
【図１】メモ板の両面にメモ紙を貼り付けた図
【図２】不乾燥性粘着剤塗布とメモ紙を示した図
【図３】財布に付いている一般的なカードケース
【符号の説明】
【００１０】１  メモ板
２  メモ紙
３  不乾燥性粘着剤
４  カードケース
Ａ  メモ紙を剥がすとき摘む位置
【図１】
0003130383.tif 000003
【図２】
0003130383.tif 000004
【図３】
0003130383.tif 000005
【手続補正書】
【提出日】平成18年12月21日(2006.12.21)
【手続補正１】
【補正対象書類名】実用新案登録請求の範囲
【補正対象項目名】請求項２
【補正方法】変更
【補正の内容】
【請求項２】
財布や免許証入れのカードケースに入る大きさにした事を特徴とした事を特徴とした請求項１に記載の携帯メモ板。